(57)【特許請求の範囲】
【請求項１】
遊技球を発射する発射装置と、該発射装置における遊技球の発射勢を変更する発射勢変更手段と、該発射勢変更手段を操作するための発射操作装置とを備えた弾球遊技機であって、
前記発射操作装置は、
前記弾球遊技機に固定されるベース体と、
主回転軸心を中心として回転自在に前記ベース体に支持され、遊技者からの操作に応じて原点位置から発射勢増大方向へ回転する主発射レバーと、
前記ベース体と前記主発射レバーとの間に配置され、前記主回転軸心と略平行な副回転軸心を中心として回転自在に前記主発射レバーに支持され、遊技者に操作される右打ち被操作部と、前記副回転軸心を中心とした円弧状の副発射歯車部とを有し、前記主発射レバーの回転に伴って前記主回転軸心の周囲を公転するとともに、遊技者からの操作に応じて前記副回転軸心を中心として自転する副発射レバーと、
前記ベース体と前記主発射レバーとの間に配置され、前記主回転軸心を中心として発射勢増大方向及び発射勢減少方向へ回転自在に前記ベース体又は前記主発射レバーに支持され、前記主回転軸心を中心とした円弧状であって前記副発射歯車部と噛合する操作歯車部を有する第１ギヤ体と、
前記ベース体と前記第１ギヤ体との間に配置され、前記主回転軸心を中心として発射勢増大方向及び発射勢減少方向へ回転自在に前記ベース体又は前記主発射レバーに支持され、前記主回転軸心を中心とした円弧状の伝達歯車部を有する第２ギヤ体と、
前記ベース体と前記主発射レバーとの間に配置され、前記主回転軸心と略平行な調整回転軸心を中心として回転自在に前記ベース体に支持され、前記調整回転軸心を中心とした円弧状であって前記伝達歯車部と噛合する調整歯車部を有し、前記第２ギヤ体の回転を前記発射調整手段に伝達する調整ギヤ体と、
前記第２ギヤ体の発射勢増大方向への回転可能限度を最大発射勢位置に規制する最大発射勢設定手段と、
前記第１ギヤ体と前記第２ギヤ体の間に設けられ、前記第１ギヤ体と前記第２ギヤ体とが所定の基本相対回転位置に設定された状態で、これら両ギヤ体同士の相対回転を規制し、前記基本相対回転位置から発射勢増大方向への前記第２ギヤ体の回転が規制された状態で前記第１ギヤ体に発射勢増大方向への回転力が付与された場合、前記第２ギヤ体に対する前記第１ギヤ体の発射勢増大方向への相対回転を許容し、且つ前記第１ギヤ体が前記第２ギヤ体に対して前記基準相対回転位置から発射勢増大方向へ相対回転した状態で前記第１ギヤ体に発射勢減少方向への回転力が付与された場合、前記両ギヤ体を基本相対回転位置へ復帰させる相対回転制御機構と、
遊技者から押下操作されるストップボタンを有し、前記ベース体に支持され、前記ストップボタンが押下操作されたとき前記発射装置に発射停止指示信号を出力する発射停止手段と、を備え、
前記主発射レバーは、前記主回転軸と交叉する方向へ突出し、該主発射レバーを把持して操作する遊技者の手の親指と人差し指との間に位置する被操作部を有し、
前記ストップボタンは、前記原点位置の前記主発射レバーの被操作部の発射勢減少方向側の側面よりも発射勢減少側に配置され、
前記副発射レバーの右打ち被操作部は、前記被操作部の発射勢増大方向側の側面から露出する
ことを特徴とする弾球遊技機。
【請求項２】
遊技球を発射する発射装置と、該発射装置における遊技球の発射勢を変更する発射勢変更手段と、該発射勢変更手段を操作するための発射操作装置とを備えた弾球遊技機であって、
前記発射操作装置は、
前記弾球遊技機に固定されるベース体と、
主回転軸心を中心として回転自在に前記ベース体に支持され、遊技者からの操作に応じて原点位置から発射勢増大方向へ回転する主発射レバーと、
前記ベース体と前記主発射レバーとの間に配置され、前記主回転軸心と略平行な操作回転軸心を中心として回転自在に前記主発射レバーに支持され、遊技者からの操作に応じて回転する副発射操作体と、
前記ベース体と前記主発射レバーとの間に配置され、前記主回転軸心と略平行な副回転軸心を中心として回転自在に前記主発射レバーに支持され、前記副回転軸心を中心とした円弧状の副発射歯車部を有し、前記主発射レバーの回転に伴って前記主回転軸心の周囲を公転するとともに、前記副回転軸心を中心として自転可能な副発射ギヤ体と、
前記副発射操作体の回転を前記副発射ギヤ体に回転力として伝達する副発射操作伝達機構と、
前記ベース体と前記主発射レバーとの間に配置され、前記主回転軸心を中心として発射勢増大方向及び発射勢減少方向へ回転自在に前記ベース体又は前記主発射レバーに支持され、前記主回転軸心を中心とした円弧状であって前記副発射歯車部と噛合する操作歯車部を有する第１ギヤ体と、
前記ベース体と前記第１ギヤ体との間に配置され、前記主回転軸心を中心として発射勢増大方向及び発射勢減少方向へ回転自在に前記ベース体又は前記主発射レバーに支持され、前記主回転軸心を中心とした円弧状の伝達歯車部を有する第２ギヤ体と、
前記ベース体と前記主発射レバーとの間に配置され、前記主回転軸心と略平行な調整回転軸を中心として回転自在に前記ベース体に支持され、前記調整回転軸心を中心とした円弧状であって前記伝達歯車部と噛合する調整歯車部を有し、前記第２ギヤ体の回転を前記発射調整手段に伝達する調整ギヤ体と、
前記第２ギヤ体の発射勢増大方向への回転可能限度を最大発射勢位置に規制する最大発射勢設定手段と、
前記第１ギヤ体と前記第２ギヤ体の間に設けられ、前記第１ギヤ体と前記第２ギヤ体とが所定の基本相対回転位置に設定された状態で、これら両ギヤ体同士の相対回転を規制し、前記基本相対回転位置から発射勢増大方向への前記第２ギヤ体の回転が規制された状態で前記第１ギヤ体に発射勢増大方向への回転力が付与された場合、前記第２ギヤ体に対する前記第１ギヤ体の発射勢増大方向への相対回転を許容し、且つ前記第１ギヤ体が前記第２ギヤ体に対して前記基準相対回転位置から発射勢増大方向へ相対回転した状態で前記第１ギヤ体に発射勢減少方向への回転力が付与された場合、前記両ギヤ体を基本相対回転位置へ復帰させる相対回転制御機構と、を備え、
前記主発射レバーは、前記主回転軸と交叉する方向へ突出し、該主発射レバーを把持して操作する遊技者の手の親指と人差し指との間に位置する被操作部を有し、
前記副発射操作体は、前記主発射レバーの前記被操作部に回転自在に支持される中間部と、該中間部から前記主発射レバーの発射勢増大方向へ延びる右打ち被操作部とを有し、
前記右打ち被操作部は、原点位置で前記被操作部の発射勢増大方向側の側面から突出し、
前記右打ち被操作部が前記原点位置から押下操作されると、前記副発射操作伝達機構を介して前記副発射ギヤ体が回転し、該副発射ギヤ体の回転に連動して前記第１ギヤ体が発射勢増大方向へ回転する
ことを特徴とする弾球遊技機。
【発明の詳細な説明】
【技術分野】
【０００１】
本発明は、遊技盤の遊技領域に遊技球を発射して遊技を行う弾球遊技機に関する。
【背景技術】
【０００２】
特許文献１には、ベースとヘッドの間で回動可能に設けられた打球力調整ホイールに、中心ギヤとアイドルギヤと操作子がそれぞれ回動可能に付設された打球力調整用操作装置が記載されている。中心ギヤは、打球力調整ホイールと同軸線上で回動可能に設けられ、アイドルギヤと外接噛合いする。操作子は、打球力調整ホイールの周縁部に回動可能に付設される。打球力調整ホイールは、捩りバネにより打球力の減少方向に付勢され、操作子は、捩りバネにより押圧部が打球力調整ホイールの外周端面より外方に突出する方向に付勢される。操作装置本体のベースにはボリュームが取り付けられ、その信号入力軸に中心ギヤと噛合うギヤが取り付けられる。中心ギヤの回転量に比例した大きさの信号がボリュームから発射装置に入力され、これによって打球力が増減する。
【０００３】
打球力調整ホイールを捩りバネの弾力に抗して打球力の増大方向に回転させたとき、その回動操作力が中心ギヤの回りを旋回する操作子からアイドルギヤを介して中心ギヤに伝達され、これにより中心ギヤも打球力の増大方向に回動する。又、打球力調整ホイールを任意の回動位置に拘束し、操作子の押圧部を捩りバネの弾力に抗して押圧操作したときにも、伝動ギヤ部の回動によりアイドルギヤから中心ギヤに回転力が伝達されて中心ギヤが打球力の増大方向に回動する。
【先行技術文献】
【特許文献】
【０００４】
【特許文献１】特開２００７−１４３９４９号公報
【発明の概要】
【発明が解決しようとする課題】
【０００５】
一般に、弾球遊技機の発射操作装置の打球力調整ホイールは、遊技中、遊技球が目標位置に連続して発射されるように遊技者によって任意の位置で保持される。また、発射操作装置には、遊技球の発射を停止するストップボタンが設けられている。ストップボタンは、遊技者が打球力調整ホイールを把持しつつ親指で操作可能な位置に配置される。遊技者は、例えば、保留球数が上限に達した状態で長い演出が開始されて確定表示までに時間を要する場合、遊技球が発射されないように球力調整ホイールを任意の位置で保持しつつストップボタンを球力調整ホイールの回転中心側に親指で押圧することで遊技球の発射を停止させ、確定表示後、ストップボタンの操作を解除して目標位置への発射を再開させる。
【０００６】
特許文献１の構造では、打球力の増大のために操作される操作子が、打球力調整ホイールの周縁部に回動可能に付設され、遊技者は打球力調整ホイールを把持しつつ操作子の押圧部を親指で押圧する。
【０００７】
したがって、操作子の押圧部とストップボタンとは、いずれも親指で操作されるため、遊技者は、操作子の押圧部とストップボタンとを混同し、誤操作してしまう可能性がある。
【０００８】
本発明は、上記実状に鑑みてなされたものであり、遊技球の発射停止のための操作と発射勢を増大させるための操作との間の誤操作を防止する弾球遊技機の提供を目的とする。
【課題を解決するための手段】
【０００９】
上記目的を達成するため、本発明の第１の態様の弾球遊技機は、遊技球を発射する発射装置と、該発射装置における遊技球の発射勢を変更する発射勢変更手段と、該発射勢変更手段を操作するための発射操作装置とを備えた弾球遊技機であって、発射操作装置は、ベース体と、主発射レバーと、副発射レバーと、第１ギヤ体と、第２ギヤ体と、調整ギヤ体と、最大発射勢設定手段と、相対回転機構と、発射停止手段と、を備える。
【００１０】
ベース体は、弾球遊技機に固定される。主発射レバーは、主回転軸心を中心として回転自在に前記ベース体に支持され、遊技者からの操作に応じて原点位置から発射勢増大方向へ回転する。副発射レバーは、ベース体と主発射レバーとの間に配置され、主回転軸心と略平行な副回転軸心を中心として回転自在に主発射レバーに支持され、遊技者に操作される右打ち被操作部と、副回転軸心を中心とした円弧状の副発射歯車部とを有し、主発射レバーの回転に伴って主回転軸心の周囲を公転するとともに、遊技者からの操作に応じて副回転軸心を中心として自転する。第１ギヤ体は、ベース体と主発射レバーとの間に配置され、主回転軸心を中心として発射勢増大方向及び発射勢減少方向へ回転自在にベース体又は主発射レバーに支持され、主回転軸心を中心とした円弧状であって副発射歯車部と噛合する操作歯車部を有する。第２ギヤ体は、ベース体と第１ギヤ体との間に配置され、主回転軸心を中心として発射勢増大方向及び発射勢減少方向へ回転自在にベース体又は主発射レバーに支持され、主回転軸心を中心とした円弧状の伝達歯車部を有する。調整ギヤ体は、ベース体と主発射レバーとの間に配置され、主回転軸心と略平行な調整回転軸心を中心として回転自在にベース体に支持され、調整回転軸心を中心とした円弧状であって伝達歯車部と噛合する調整歯車部を有し、第２ギヤ体の回転を発射調整手段に伝達する。最大発射勢設定手段は、第２ギヤ体の発射勢増大方向への回転可能限度を最大発射勢位置に規制する。相対回転制御機構は、第１ギヤ体と第２ギヤ体の間に設けられ、第１ギヤ体と第２ギヤ体とが所定の基本相対回転位置に設定された状態で、これら両ギヤ体同士の相対回転を規制し、基本相対回転位置から発射勢増大方向への第２ギヤ体の回転が規制された状態で第１ギヤ体に発射勢増大方向への回転力が付与された場合、第２ギヤ体に対する第１ギヤ体の発射勢増大方向への相対回転を許容し、且つ第１ギヤ体が第２ギヤ体に対して基準相対回転位置から発射勢増大方向へ相対回転した状態で第１ギヤ体に発射勢減少方向への回転力が付与された場合、両ギヤ体を基本相対回転位置へ復帰させる。発射停止手段は、遊技者から押下操作されるストップボタンを有し、ベース体に支持され、ストップボタンが押下操作されたとき発射装置に発射停止指示信号を出力する。主発射レバーは、主回転軸と交叉する方向へ突出し、主発射レバーを把持して操作する遊技者の手の親指と人差し指との間に位置する被操作部を有し、ストップボタンは、原点位置の主発射レバーの被操作部の発射勢減少方向側の側面よりも発射勢減少側に配置され、副発射レバーの右打ち被操作部は、被操作部の発射勢増大方向側の側面から露出する。
【００１１】
なお、公転とは、自身の外側を通る回転軸を中心とした回転を意味し、自転とは、自身を通る回転軸を中心とした回転を意味する。
【００１２】
上記構成では、遊技球の発射が停止する初期状態において、主発射レバー、副発射レバー、第１ギヤ体、第２ギヤ体及び調整ギヤ体は、それぞれ発射勢減少方向の回転限度である原点位置に設定され、第１ギヤ体と第２ギヤ体とは、基本相対回転位置に設定される。
【００１３】
遊技を開始する遊技者は、初期状態の主発射レバーを発射勢増大方向へ回転操作する。主発射レバーが回転すると、副発射レバーは自転せずに主回転軸心の周囲を公転する。副発射レバーの副発射歯車部と第１ギヤ体の操作歯車部とが噛合しているので、主発射レバーの回転に連動して第１ギヤ体が発射勢増大方向へ回転する。第１ギヤ体が回転すると、相対回転制御機構が第１ギヤ体と第２ギヤ体とに係合して両ギヤ体間の相対回転を規制し、第２ギヤ体が第１ギヤ体と一体的に回転する。第２ギヤ体の伝達歯車部と調整ギヤ体の調整歯車部とが噛合しているので、第２ギヤ体の回転に連動して調整ギヤ体が発射勢増大方向へ回転し、発射勢変更手段によって遊技球の発射勢が変更される。すなわち、遊技者は、主発射レバーの原点位置からの回転量を適宜調節することによって、所望の発射勢で遊技球を発射することができる。
【００１４】
例えば遊技領域の右側領域への遊技球の発射が要求される遊技（右打ち遊技）への移行のように、遊技の途中で遊技球の発射勢を増大させる必要が生じた場合、遊技者は、主発射レバーの回転位置を維持したまま、副発射レバーを発射勢増大方向へ回転操作すればよい。副発射レバーの副発射歯車部と第１ギヤ体の操作歯車部とが噛合しているので、副発射レバーの回転に連動して第１ギヤ体が発射勢増大方向へ回転する。第１ギヤ体が回転すると、相対回転制御機構が第１ギヤ体と第２ギヤ体とに係合して両ギヤ体間の相対回転を規制し、第２ギヤ体が第１ギヤ体と一体的に回転する。第２ギヤ体の伝達歯車部と調整ギヤ体の調整歯車部とが噛合しているので、第２ギヤ体の回転に連動して調整ギヤ体が発射勢増大方向へ回転し、発射勢変更手段によって遊技球の発射勢が変更される。すなわち、遊技者は、主発射レバーを所望の回転位置に維持したまま、副発射レバーを操作することによって遊技球の発射勢を増大させることができる。
【００１５】
第２ギヤ体の発射勢増大方向への回転限度は、最大発射勢設定手段によって最大発射勢位置に規制される。すなわち、第２ギヤ体は最大発射勢位置を超えてさらに発射勢増大方向へ回転することがなく、発射勢変更手段に過度の荷重が加わることがない。
【００１６】
第２ギヤ体が最大発射勢位置に達した状態で、遊技者が主発射レバー又は副発射レバーを発射勢増大方向へ操作し、第１ギヤ体に発射勢増大方向への回転力が付与されると、相対回転制御機構は、第１ギヤ体又は第２ギヤ体との係合を解除して、第２ギヤ体に対する第１ギヤ体の発射勢増大方向への相対回転を許容し、第１ギヤ体が空転する。従って、第１ギヤ体や第２ギヤ体に入力する発射勢増大方向への過度な荷重を、第１ギヤ体と第２ギヤ体との相対回転によって緩和することができる。
【００１７】
第２ギヤ体に対して基準相対回転位置から発射勢増大方向へ相対回転した第１ギヤ体を基準相対回転位置へ戻す場合、遊技者は、主発射レバー又は副発射レバーを発射勢減少方向へ操作して、第１ギヤ体に発射勢減少方向への回転力を付与すればよい。第１ギヤ体に発射勢減少方向への回転力が付与されると、相対回転制御機構は、第２ギヤ体に対する第１ギヤ体の発射勢減少方向への相対回転を許容して両ギヤ体を基本相対回転位置へ復帰させる。
【００１８】
また、主発射レバーは、主回転軸と交叉する方向へ突出し、主発射レバーを把持して操作する遊技者の手の親指と人差し指との間に位置する被操作部を有し、ストップボタンは、原点位置の主発射レバーの被操作部の発射勢減少方向側の側面よりも発射勢減少側に配置され、副発射レバーの右打ち被操作部は、被操作部の発射勢増大方向側の側面から露出するので、遊技者に、遊技球の発射停止のために押下操作されるストップボタンを親指で押下操作させ、遊技球の発射勢を増大させるために操作される右打ち被操作部を人差し指で操作させることができる。このように、操作のために用いられる指を分けることによって、発射停止ボタンと右打ち被操作部との混同を防止し、遊技球の発射停止のための操作と発射勢を増大させるための操作との間の誤操作を防止することができる。
【００１９】
また、本発明の第２の様態の弾球遊技機は、遊技球を発射する発射装置と、該発射装置における遊技球の発射勢を変更する発射勢変更手段と、該発射勢変更手段を操作するための発射操作装置とを備えた弾球遊技機であって、発射操作装置は、ベース体と、主発射レバーと、副発射操作体と、副発射ギヤ体と、副発射操作伝達機構と、第１ギヤ体と、第２ギヤ体と、調整ギヤ体と、最大発射勢設定手段と、相対回転制御機構と、を備える。
【００２０】
ベース体は、弾球遊技機に固定される。主発射レバーは、主回転軸心を中心として回転自在にベース体に支持され、遊技者からの操作に応じて原点位置から発射勢増大方向へ回転する。副発射操作体は、ベース体と主発射レバーとの間に配置され、主回転軸心と略平行な副回転軸心Ｃ２を中心として回転自在に主発射レバーに支持され、遊技者からの操作に応じて回転する。副発射ギヤ体は、ベース体と主発射レバーとの間に配置され、主回転軸心と略平行な副回転軸心を中心として回転自在に主発射レバーに支持され、副回転軸心を中心とした円弧状の副発射歯車部を有し、主発射レバーの回転に伴って主回転軸心の周囲を公転するとともに、副回転軸心を中心として自転可能である。副発射操作伝達機構は、副発射操作体の回転を副発射ギヤ体に回転力として伝達する。第１ギヤ体は、ベース体と主発射レバーとの間に配置され、主回転軸心を中心として発射勢増大方向及び発射勢減少方向へ回転自在に前記ベース体又は主発射レバーに支持され、主回転軸心を中心とした円弧状であって副発射歯車部と噛合する操作歯車部を有する。第２ギヤ体は、ベース体と第１ギヤ体との間に配置され、主回転軸心を中心として発射勢増大方向及び発射勢減少方向へ回転自在に前記ベース体又は主発射レバーに支持され、主回転軸心を中心とした円弧状の伝達歯車部を有する。調整ギヤ体は、ベース体と主発射レバーとの間に配置され、主回転軸心と略平行な調整回転軸を中心として回転自在に前記ベース体に支持され、調整回転軸心Ｃ３を中心とした円弧状であって伝達歯車部と噛合する調整歯車部を有し、第２ギヤ体の回転を発射調整手段に伝達する。最大発射勢設定手段は、第２ギヤ体の発射勢増大方向への回転可能限度を最大発射勢位置に規制する。相対回転制御機構は、第１ギヤ体と第２ギヤ体の間に設けられ、第１ギヤ体と第２ギヤ体とが所定の基本相対回転位置に設定された状態で、これら両ギヤ体同士の相対回転を規制し、基本相対回転位置から発射勢増大方向への第２ギヤ体の回転が規制された状態で第１ギヤ体に発射勢増大方向への回転力が付与された場合、第２ギヤ体に対する第１ギヤ体の発射勢増大方向への相対回転を許容し、且つ第１ギヤ体が第２ギヤ体に対して基準相対回転位置から発射勢増大方向へ相対回転した状態で第１ギヤ体に発射勢減少方向への回転力が付与された場合、両ギヤ体を基本相対回転位置へ復帰させる。主発射レバーは、前記主回転軸と交叉する方向へ突出し、主発射レバーを把持して操作する遊技者の手の親指と人差し指との間に位置する被操作部を有し、副発射操作体は、主発射レバーの被操作部に回転自在に支持される中間部と、中間部から主発射レバーの発射勢増大方向へ延びる右打ち被操作部とを有し、右打ち被操作部は、原点位置で被操作部の発射勢増大方向側の側面から突出し、右打ち被操作部が原点位置から押下操作されると、副発射操作伝達機構を介して副発射ギヤ体が回転し、副発射ギヤ体の回転に連動して第１ギヤ体が発射勢増大方向へ回転する。
【００２１】
上記構成では、遊技球の発射が停止する初期状態において、主発射レバー、副発射操作体、副発射ギヤ体、第１ギヤ体、第２ギヤ体及び調整ギヤ体は、それぞれ発射勢減少方向の回転限度である原点位置に設定され、第１ギヤ体と第２ギヤ体とは、基本相対回転位置に設定される。
【００２２】
遊技を開始する遊技者は、初期状態の主発射レバーを発射勢増大方向へ回転操作する。主発射レバーが回転すると、副発射ギヤ体は自転せずに主回転軸心の周囲を公転する。副発射ギヤ体の副発射歯車部と第１ギヤ体の操作歯車部とが噛合しているので、主発射レバーの回転に連動して第１ギヤ体が発射勢増大方向へ回転する。第１ギヤ体が回転すると、相対回転制御機構が第１ギヤ体と第２ギヤ体とに係合して両ギヤ体間の相対回転を規制し、第２ギヤ体が第１ギヤ体と一体的に回転する。第２ギヤ体の伝達歯車部と調整ギヤ体の調整歯車部とが噛合しているので、第２ギヤ体の回転に連動して調整ギヤ体が発射勢増大方向へ回転し、発射勢変更手段によって遊技球の発射勢が変更される。すなわち、遊技者は、主発射レバーの原点位置からの回転量を適宜調節することによって、所望の発射勢で遊技球を発射することができる。
【００２３】
例えば遊技領域の右側領域への遊技球の発射が要求される遊技（右打ち遊技）への移行のように、遊技の途中で遊技球の発射勢を増大させる必要が生じた場合、遊技者は、主発射レバーの回転位置を維持したまま、右打ち被操作部を押下操作し、副発射操作体を発射勢増大方向へ回転操作すればよい。右打ち被操作部を押下操作されると、副発射操作体が回転し、副発射操作伝達機構が副発射操作体の回転を回転力として、副発射ギヤ体に伝達する。回転力が伝達されると、副発射ギヤ体は回転する。副発射ギヤ体の副発射歯車部と第１ギヤ体の操作歯車部とが噛合しているので、副発射ギヤ体の回転に連動して第１ギヤ体が発射勢増大方向へ回転する。第１ギヤ体が回転すると、相対回転制御機構が第１ギヤ体と第２ギヤ体とに係合して両ギヤ体間の相対回転を規制し、第２ギヤ体が第１ギヤ体と一体的に回転する。第２ギヤ体の伝達歯車部と調整ギヤ体の調整歯車部とが噛合しているので、第２ギヤ体の回転に連動して調整ギヤ体が発射勢増大方向へ回転し、発射勢変更手段によって遊技球の発射勢が変更される。すなわち、遊技者は、主発射レバーを所望の回転位置に維持したまま、副発射レバーを操作することによって遊技球の発射勢を増大させることができる。
【００２４】
第２ギヤ体の発射勢増大方向への回転限度は、最大発射勢設定手段によって最大発射勢位置に規制される。すなわち、第２ギヤ体は最大発射勢位置を超えてさらに発射勢増大方向へ回転することがなく、発射勢変更手段に過度の荷重が加わることがない。
【００２５】
第２ギヤ体が最大発射勢位置に達した状態で、遊技者が主発射レバーを発射勢増大方向へ操作し、又は副発射操作体の右打ち被操作部を押下操作し、副発射レバー第１ギヤ体に発射勢増大方向への回転力が付与されると、相対回転制御機構は、第１ギヤ体又は第２ギヤ体との係合を解除して、第２ギヤ体に対する第１ギヤ体の発射勢増大方向への相対回転を許容し、第１ギヤ体が空転する。従って、第１ギヤ体や第２ギヤ体に入力する発射勢増大方向への過度な荷重を、第１ギヤ体と第２ギヤ体との相対回転によって緩和することができる。
【００２６】
第２ギヤ体に対して基準相対回転位置から発射勢増大方向へ相対回転した第１ギヤ体を基準相対回転位置へ戻す場合、遊技者は、主発射レバーを発射勢減少方向へ操作し、又は副発射操作体の右打ち被操作部を押下操作を解除し、第１ギヤ体に発射勢減少方向への回転力を付与すればよい。第１ギヤ体に発射勢減少方向への回転力が付与されると、相対回転制御機構は、第２ギヤ体に対する第１ギヤ体の発射勢減少方向への相対回転を許容して両ギヤ体を基本相対回転位置へ復帰させる。
【００２７】
また主発射レバーは、前記主回転軸と交叉する方向へ突出し、主発射レバーを把持して操作する遊技者の手の親指と人差し指との間に位置する被操作部を有し、副発射操作体は、主発射レバーの被操作部に回転自在に支持される中間部と、中間部から主発射レバーの発射勢増大方向へ延びる右打ち被操作部とを有し、右打ち被操作部は、原点位置で被操作部の発射勢増大方向側の側面から突出し、右打ち被操作部が原点位置から押下操作されると、副発射操作伝達機構を介して副発射ギヤ体が回転し、副発射ギヤ体の回転に連動して第１ギヤ体が発射勢増大方向へ回転するので、遊技者に遊技球の発射勢を増大させるために操作される右打ち被操作部を人差し指で押下操作させることができる。また、右打ち被操作部の押下方向は、主発射レバーの発射勢増大方向と共通するので、遊技者は、容易に右打ち被操作部の押下操作を行うことができる。
【発明の効果】
【００２８】
本発明によれば、遊技球の発射停止のための操作と発射勢を増大させるための操作との間の誤操作を防止することができる。
【図面の簡単な説明】
【００２９】
【図１】本発明の第１の実施形態の発射操作装置を示す図であり、（a）は正面図、（ｂ）は平面図、（ｃ）は側面図である。
【図２】（ａ）は図１（ａ）のＡ−Ａ矢視断面図であり、（ｂ）は図１（ａ）のＢ−Ｂ矢視断面図である。
【図３】図１（ｃ）のＣ−Ｃ矢視断面図である。
【図４】図１（ｃ）のＤ−Ｄ矢視断面図である。
【図５】図１の発射操作装置の分解斜視図である。
【図６】図５の副発射レバー及び第１ギヤ体の組付状態を示す図であり、（ａ）は正面図、（ｂ）は側面図である。
【図７】図５の第１ギヤ体、操作歯車バネ及び第２ギヤ体の斜視図である。
【図８】本発明の第２の実施形態の発射操作装置を示す図であり、（a）は正面図、（ｂ）は平面図である。
【図９】図８の発射装置の分解斜視図である。
【図１０】図８の副発射操作体、副発射ギヤ体及び第１ギヤ体の組付状態を示す図であり、（ａ）は正面図、（ｂ）は側面図である。
【図１１】図１０の副発射操作体及び副発射ギヤ体の変形例を示す図であり、（ａ）は正面図、（ｂ）は側面図である。
【図１２】発射操作装置の変形例の図１（ａ）のＡ−Ａ矢視断面図である。
【図１３】発射操作装置の変形例の図１（ａ）のＢ−Ｂ矢視断面図である。
【図１４】発射操作装置の変形例の分解斜視図である。
【図１５】図１４の相対回転制御機構を拡大して示す分解斜視図である。
【図１６】図１５の組付状態を示す斜視図である。
【図１７】図１４の第１筒状ギヤ体の斜視図であり、（ａ）は斜め後方から視た状態を、（ｂ）は斜め前方から視た状態をそれぞれ示す。
【図１８】図１４の伝達ガイドの斜視図であり、（ａ）は斜め後方から視た状態を、（ｂ）は斜め前方から視た状態をそれぞれ示す。
【図１９】図１４の第２筒状ギヤ体の斜視図であり、（ａ）は斜め後方から視た状態を、（ｂ）は斜め前方から視た状態をそれぞれ示す。
【図２０】基準相対回転位置での相対回転制御機構を傾斜ガイド面の円弧形状に沿った切断面で示す要部断面図である。
【図２１】第１筒状ギヤ体が第２筒状ギヤ体に対して基準相対回転位置から発射勢増大方向へ相対回転した状態での相対回転制御機構を傾斜ガイド面の円弧形状に沿った切断面で示す要部断面図である。
【発明を実施するための形態】
【００３０】
本発明の第１の実施形態を図１から図７を参照して説明する。なお、以下では、遊技者側を前方とし、弾球遊技機側を後方とし、前方から視た左右を左右方向として説明する。また、主発射レバー、第１ギヤ体及び第２ギヤ体の発射勢増大方向は、前方から視て右回り（時計回り）であり、副発射レバー及びボリュームギヤ体の発射勢増大方向は左回り（反時計回り）である。
【００３１】
図１から図７に示すように、本実施形態の弾球遊技機（パチンコ機）は、遊技機本体（図示省略）に内蔵されて遊技盤の遊技領域（図示省略）に遊技球を発射する発射装置（図示省略）と、発射装置のモータ等の駆動源に通電される電流値を増減して発射装置における遊技球の発射勢を変更するボリューム（可変抵抗器：発射勢変更手段）１と、ボリューム１を操作するための発射操作装置１００とを備える。遊技者は、発射操作装置１００を操作することによって、遊技球の発射の開始及び停止や発射勢の調節を行う。なお、図２、図３及び図４においては各部材を結合するボルトの図示を省略している。
【００３２】
［発射操作装置の概略構造］
発射操作装置１００は、遊技機本体に固定されるベース体２と、ベース体２の前側に取り付けられるカバー３と、ベース体２とカバー３のとの間に配置される主発射レバー４（ハンドルリング）４とを備えている。
【００３３】
ベース体２は、遊技機本体に固定される円筒状の基部２１と、基部２１から前方に向かってテーパ状に拡径する収容部２２と、基部２１と収容部２２との境界近傍で前後方向と略直交するベース板部２０とを一体的に備える。ベース板部２０の略中央には、筒状軸受部２４が形成されている。カバー３は、後方に向って拡径されるドーム状に形成され、ベース体２の収容部２２の前方を覆う。
【００３４】
カバー３の内側領域には、主発射レバー４を原点位置側（発射勢減少方向）に付勢する主バネ５と、主バネ５の内側に配置されるバネ保持部材５１と、主発射レバー４に対する遊技者の手の接触を検知するタッチセンサ１２とが設けられている。
【００３５】
主発射レバー４とベース体２とによって区画される内側領域には、右打ち被操作部６０と副発射歯車部６１とを有する副発射レバー６と、副発射レバー６の後方に配置された後方支持体４７と、副発射レバー６を原点位置側（発射勢減少方向）に付勢する副バネ１３と、副発射歯車部６１と噛み合う操作歯車部７１を有する第１ギヤ体７と、操作歯車バネ（相対回転制御機構）１４と、第１ギヤ体７の回転をボリューム１側に伝達する伝達歯車部８を有する第２ギヤ体８と、ベース体２の基部２１に固定されたロータリ式のボリューム１の回転軸部材１０に嵌合されて回転軸部材１０と一体に回転するボリュームギヤ体（調整ギヤ体）１１と、遊技球の発射を停止する発射停止スイッチ１５及び発射停止ボタン１６とが設けられている。
【００３６】
ベース体２の収容部２２には、基部２１側のベース板部２０から前方に延出する複数の円筒状のボス２３が設けられ、カバー３の後面（ドーム状の部分の裏面）のうちボス２３に対応する部分には、後方に突出する嵌合軸部３０が形成されている。嵌合軸部３０の後端部が円筒状のボス２３の前端部の内部に挿入されて嵌合することによって、ベース体２の前側にカバー３が固定される。カバー３の後面の略中央には、後方に延出する円筒状のカバー側軸受部３１が形成されている。
【００３７】
主発射レバー４は、軸方向長さが短い概略円筒状の円筒部４０と、円筒部４０の内部に設けられた概略円板状の底板４１とを一体的に有し、円筒部４０の外周部分には、遊技者が指をかけて握って操作するための被操作部４２が設けられている。
【００３８】
主発射レバー４の底板４１には、２箇所の長孔４３が形成されている。カバー３がベース体２に固定された状態で、各長孔４３には、嵌合したボス２３と嵌合軸部３０とが貫通する。長孔４３は、主発射レバー４の回転中心（カバー側軸受部３１と後述の主回転軸４４の中心線）である主回転軸心Ｃ１を中心とした円弧状に形成されている。主発射レバー４の回転可能範囲は、長孔４３の長さ（円弧方向の両端縁）によって、遊技球の発射が停止する原点位置から遊技球の発射勢が最大となる最大発射勢位置までの範囲に規制される。すなわち、主発射レバー４の長孔４３とボス２３とは、主発射レバー４の回転範囲を規制するストッパとして機能する。また、主発射レバー４の底板４１には、後方へ突出する円筒状の副回転軸４５が被操作部４２の発射勢減少方向側の基端部付近に形成されている。被操作部４２は、主発射レバー４を把持して操作する遊技者の右手の親指と人差し指との間に位置するように、主発射レバー４が原点位置に設定された状態で、前方から視て略三角形状に主回転軸心Ｃ１と交叉する方向（円筒部４０の外周から主回転軸心Ｃ１の左斜め上方）へ突出する。また、主発射レバー４の被操作部４２の発射勢増大方向側の側面には、矩形状に切欠いてなる切欠部４２ａが形成されている。
【００３９】
主発射レバー４が発射勢減少方向に回転して原点位置の近傍まで戻ると、遊技球の発射が停止する。また、遊技者は、主発射レバー４を最大発射勢位置まで回転させなくても、副発射レバー６を操作することによって、遊技球の発射勢を最大とすることができる。
【００４０】
主発射レバー４の底板４１の前面の中央部には、前方に向って延出する円筒状の主回転軸４４が一体的に形成されている。主回転軸４４の前端部がカバー側軸受部３１内に挿入される。また、主発射レバー４の底板４１の後面中央部には、後方に向って延出する軸受筒部４６が一体的に形成されている。主発射レバー４の軸受筒部４６は、主発射レバー４の回転中心を中心線とするように配置されており、内部に後述する第１ギヤ体７の前端部が挿入される。軸受筒部４６に第１ギヤ体７の前端部が挿入されると、第１ギヤ体７は主発射レバー４に相対回転自在に支持される。
【００４１】
バネ保持部材５１は、カバー側軸受部３１の後方で主回転軸４４の周囲に配置されている。バネ保持部材５１は、後端側にフランジを備える円筒状であり、バネ保持部材５１の内側を主回転軸４４が貫通する。バネ保持部材５１は、ねじりコイルバネである主バネ５の内側に挿入され、フランジによって主バネ５の後方への移動を規制する。
【００４２】
主バネ５は、その一端側がボス２３に係止され、他端側が主発射レバー４に係止されることによって、原点位置から最大発射勢位置に操作される主発射レバー４を原点位置側（発射勢減少方向）に付勢し、遊技者が主発射レバー４から手を離すと、主バネ５の付勢力によって主発射レバー４が原点位置側に戻る。
【００４３】
後方支持体４７は、主発射レバー４の被操作部４２の後方に配置されている。後方支持体４７は、略矩形状体であり、前後方向に直交する方向の両端にボルト１７が挿通するボルト挿通孔４７ａが２つ設けられている。ボルト１７が挿通孔に挿通し、主発射レバー４の被操作部４２の後面に設けられたボルト孔（図示省略）と螺合することで、後方支持体４７は、主発射レバー４に相対回転不能に固定される。
【００４４】
副発射レバー６は、主発射レバー４の被操作部４２と後方支持体４７との間に配置されている。副発射レバー６は、Ｌ字状体であり、中央に副回転軸受孔形成部６２を有し、副回転軸受孔形成部６２の外周部の一部から下方に傾斜して延出する副発射歯車部６１と、副回転軸受孔形成部６２の外周部の一部から上方に延出する右打ち被操作部６０と、を一体的に有する。
【００４５】
副回転軸受孔形成部６２は、前方に開口部を有する円筒状に形成されており、この円筒の底面部分の中央には、副回転軸受孔６３が形成されている。副回転軸受孔６３には、主発射レバー４の底板４１に形成された円筒状の副回転軸４５が挿入される。副回転軸受孔６３に副回転軸４５が挿入されると、副発射レバー６は主発射レバー４に回転自在に支持される。副発射レバー６の回転中心（副回転軸心Ｃ２）は、主発射レバー４の回転中心（主回転軸心Ｃ１）と略平行に設定され、副回転軸心Ｃ２は主回転軸心Ｃ１の外側に配置されている。また、副回転軸受孔形成部６２の外周面の内側には、ねじりコイルバネである副バネ１３が配置される。副バネ１３は、その一端側が主発射レバー４に係止され、他端側が副発射レバー６に係止されることによって、副発射レバー６を発射勢減少方向（時計回り）に付勢する。
【００４６】
副発射歯車部６１は、副回転軸心Ｃ２を中心とした円弧状であり、副発射レバー６の回転可能範囲に対応した略扇状のセクタ歯車の歯部として形成されている。副発射歯車部６１は第１ギヤ体７の操作歯車部７１と噛み合う。
【００４７】
右打ち被操作部６０は、右端部に前後方向に延びる矩形状の指掛け部６０ａを有する。指掛け部６０ａは、副発射レバー６が主発射レバー４に相対回転自在に支持されると、主発射レバー４の被操作部４２の発射勢増大方向側の側面に形成された切欠部４２ａから突出する。指掛け部６０ａは、副バネ１３によって発射勢減少方向（時計回り）に付勢されている。このような配置によって、遊技者は、右手の親指を被操作部４２の発射勢減少方向側の側面に当てて、主発射レバー４を任意の回転位置に維持させたまま、その人差し指で右打ち被操作部６０の指掛け部６０ａを容易に発射勢増大方向へ回転操作することができる。例えば、弾球遊技機の遊技状態が遊技領域の右側領域への遊技球の発射が要求される遊技（右打ち遊技）へ移行した場合に、右打ち被操作部６０は、遊技者によって、指掛け部６０ａを発射勢増大方向へ回転操作させることで、発射勢増大方向へ回転操作される。右打ち被操作部６０が回転操作されると副発射レバー６は副回転軸心Ｃ２を中心に発射勢増大方向（反時計回り）へ回転（自転）する。
【００４８】
遊技者が主発射レバー４を発射勢増大方向へ回転すると、第１ギヤ体７の操作歯車部７１と噛み合う副発射歯車部６１を有する副発射レバー６が主回転軸心Ｃ１の周囲を公転する。
【００４９】
副発射レバー６が公転すると、副発射歯車部６１と噛み合う操作歯車部７１を有する第１ギヤ体７に発射勢増大方向の回転力が伝達され、第１ギヤ体７は発射勢増大方向（時計回り）に回転する。
【００５０】
副発射レバー６は、遊技者の指掛け部６０ａの回転操作によって、原点位置から最大発射勢位置まで回転（自転）する。遊技者が指掛け部６０ａを解放すると、副バネ１３の付勢力によって副発射レバー６は発射勢減少方向（時計回り）に回転し、原点位置側に復帰する。副発射ギア体が発射勢減少方向に復帰すると、副発射操作ギア体の副発射歯車部６１の基部が１つのボス２３に当接して、発射勢減少方向への副発射操作体の回転が規制される。すなわち、この１つのボス２３が、副発射ギヤ体の原点位置側のストッパとして機能する。
【００５１】
副発射レバー６の最大発射勢位置側（発射勢増大方向）には、特にストッパは設けられておらず、遊技者が通常の操作によって指掛け部６０ａを回転操作して右打ち被操作部６０を発射勢増大方向へ回転させた位置が副発射ギヤ体の最大発射勢位置となる。副発射ギヤ体が最大発射位置にあるのにも関わらず、副発射レバー６の指掛け部６０ａを回転操作して右打ち被操作部６０を発射勢増大方向へ回転させようとすると、右打ち被操作部６０が主発射レバー４の被操作部４２の内側に当接し、右打ち被操作部６０をそれ以上回転させることができず、この被操作部４２の内側との当接位置が副発射レバー６の発射勢増大方向の回転限度となる。なお、被操作部４２の内側に当接する前に右打ち被操作部６０の発射勢増大方向への回転限度を規制するストッパを設けてもよい。
【００５２】
ベース体２の収容部２２の前端左下側の外周縁には、発射停止ボタン１６が挿通する切欠部２２ａが形成されている。発射停止ボタン１６の一端部は、切欠部２２ａの右上方でベース体２の収容部２２から突出するボタン軸部２５に回転自在に支持され、発射停止ボタン１６の他端部は、切欠部２２ａから外部へ突出する。切欠部２２ａは、前方から視て、原点位置の主発射レバー４の被操作部４２の発射勢減少方向側の側面よりも発射勢減少方向側に設けられている。したがって、切欠部２２ａから突出する発射停止ボタン１６の他端部は、原点位置の主発射レバー４の被操作部４２の発射勢減少方向側の側面よりも発射勢減少方向側に位置する。発射停止ボタン１６とベース体２との間には、発射ボタンを左側（他端部が突出する方向）へ付勢する付勢手段（図示省略）が設けられている。発射停止ボタン１６が付勢手段の付勢力に抗して発射許可位置から発射停止位置へ押下されると、収容部２２に設けられた発射停止スイッチ１５が発射許可状態から発射禁止状態に切り替わり、発射停止スイッチ１５から発射装置の発射制御部へ発射停止信号が出力される。発射停止ボタン１６が発射停止位置に維持されている間、発射停止スイッチ１５は継続的に発射停止信号を出力し、発射停止信号を受信した発射装置は遊技球の発射を停止する。
【００５３】
ボリュームギヤ体１１は、ボリューム１の回転軸部材１０が挿入される貫通孔１１ｂと、ボリューム歯車部１１ａと、ボリュームギヤ体１１の回転範囲を規制するためのボリューム被規制部１１ｃとを備える。ボリュームギヤ体１１は、主回転軸心Ｃ１と略平行な調整回転軸心Ｃ３を中心として回転自在にベース体に支持される。ボリューム歯車部１１ａは、調整回転軸心Ｃ３を中心とした円弧状であり、ボリュームギヤ体１１の回転範囲に対応するセクタ歯車の歯部として形成され、後述するように第２ギヤ体８の伝達歯車部８１に噛み合って第２ギヤ体８の回転が伝動される。
【００５４】
ボリューム被規制部１１ｃは、ボリュームギヤ体１１の回転中心から半径方向に沿って、ボリュームギヤ体１１の本体から外側に延出する。ボリュームギヤ体１１が収容部２２のベース板部２０の２箇所に形成されたボリューム規制部材２６に当接することによって、ボリュームギヤ体１１の回転が規制される。ボリューム規制部材２６が規制する回転範囲は、伝達歯車部８１が規制する回転範囲よりも僅かに広く設定され、通常の使用状態では、ボリューム被規制部１１ｃはボリューム規制部材２６に当接しない。なお、ボリューム被規制部１１ｃ及びボリューム規制部材２６は、発射操作装置１００の組立時において、ボリュームギヤ体１１を伝達歯車部８１に噛み合わせる際のボリュームギヤ体１１の回転角度を決めるために用いられる。
【００５５】
［第１ギヤ体、第２ギヤ体及び操作歯車バネ］
図５及び図７に示すように第１ギヤ体７は、概略円筒状の本体と、本体の外周の一部に周方向に沿って設けられた操作歯車部７１と、操作歯車バネ１４の位置を規制するフランジ７２と、このフランジ７２に設けられ、第２ギヤ体８の伝達側係合部８３に係合する操作側係合部７３とを備えている。
【００５６】
第１ギヤ体７の円筒状の本体の先端部は、図２に示すように、主発射レバー４の底板４１の発射操作装置の後面から後方に向って延出する軸受筒部４６内に回転自在に挿入されている。主発射レバー４の軸受筒部４６は、主回転軸心Ｃ１を中心線とするように配置されており、第１ギヤ体７は、主回転軸心Ｃ１を中心として相対回転自在に主発射レバー４に支持されている。
【００５７】
操作歯車部７１は、上述のように副発射歯車部６１と噛み合う。また、第１ギヤ体７が回転自在に支持される主発射レバー４には、前方から視て、セクタ歯車である操作歯車部７１の反時計回りの先端側（原点位置方向に向う周り方向の先端側）に当接する原点側規制部４８ａと、操作歯車部７１の時計回りの先端側（最大発射勢位置方向に向う周り方向の先端側）に当接する最大側規制部４８ｂとを有する操作歯車規制部４８が設けられている（図３参照）。
【００５８】
したがって、第１ギヤ体７の主発射レバー４に対する回転範囲が規制されるが、基本的に通常の副発射レバー６の操作範囲となる副発射歯車部６１の回転範囲内では、操作歯車部７１が操作歯車規制部４８にほとんど接触しないようになっており、たとえば、操作歯車規制部４８は、発射操作装置の組み立て時の第１ギヤ体７の回転角度の位置決めに用いられている。
【００５９】
また、第１ギヤ体７および主発射レバー４の軸受筒部４６には、略円筒状の第１ギヤ体７および略円筒状の第２ギヤ体８の内部にタッチセンサ１２の配線を通して遊技機本体側に引き込むために、タッチセンサ１２の配線を引き入れる切欠部７４，４６ａが設けられている。
【００６０】
フランジ７２は、第１ギヤ体７の全周の一部の部分に設けられている。
【００６１】
操作側係合部７３は、フランジ７２の外周部から後端部側に向って延出して設けられ、第１ギヤ体７の回転中心（主回転軸心Ｃ１）を中心とする円弧板状となっている。
【００６２】
第２ギヤ体８は、円筒状の本体と、操作歯車バネ１４の位置を規制するフランジ８２と、このフランジ８２に設けられ、第１ギヤ体７の操作側係合部７３に係合する伝達側係合部８３と、ボリューム歯車部１１ａ材のボリューム歯車部１１ａに噛み合う伝達歯車部８１と、後述のベース体２の収容部２２のベース板部２０に形成された回転体規制部材２７に係合する一対の被規制部８４とを備える（図４参照）。
【００６３】
第２ギヤ体８の円筒状の本体の先端部に第１ギヤ体７の円筒状の本体の後端部を回転自在に挿入した状態で、第１ギヤ体７と第２ギヤ体８とは主回転軸心Ｃ１を中心に互いに相対回転可能となっている。
【００６４】
第２ギヤ体８の円筒状の本体の後端部は、図２に示すように、ベース体２の収容部２２のベース板部２０に形成された筒状軸受部２４に挿入されて回転自在に支持されている。
【００６５】
フランジ８２は、第２ギヤ体８の全周の一部の部分に設けられている。第１ギヤ体７を第２ギヤ体８に挿入した状態で、第１ギヤ体７のフランジ７２と、第２ギヤ体８のフランジ８２が対向する。
【００６６】
伝達側係合部８３は、フランジ８２の外周部から後端部側に向って延出して設けられ、第２ギヤ体８の回転中心（主回転軸心Ｃ１）を中心とする円弧板状となっている。伝達側係合部８３は、第２ギヤ体８の回転中心からの半径方向の距離が、操作側係合部７３の第１ギヤ体７の回転中心からの半径方向の距離と同じとなっている。
【００６７】
伝達歯車部８１は、第２ギヤ体８の円筒状の本体のフランジ８２より後端部側に設けられている。この伝達歯車部８１は、回転軸部材１０を収容部２２のベース板部２０を貫通して底部の先端側に突出させたボリューム１の回転軸部材１０に固定されたボリュームギヤ体１１のボリューム歯車部１１ａに噛み合っている。伝達歯車部８１およびボリューム歯車部１１ａは、それぞれの回転範囲に対応した角度範囲のセクタ歯車となっている。
【００６８】
図４に示すように収容部２２のベース板部２０には、第２ギヤ体８が挿入される筒状軸受部２４の周囲に、回転体規制部材２７が先端側に向けて突出して設けられている。それに対して、第２ギヤ体８の後端部には、筒状軸受部２４に挿入される部分より先端側に一対の被規制部８４が第２ギヤ体８の本体の外周面より突出して設けられている。第２ギヤ体８が回転した場合に、第２ギヤ体８の被規制部８４が回転体規制部材２７に当接して、第２ギヤ体８の回転範囲が規制される。第２ギヤ体８の回転の規制範囲は、遊技球の発射が停止される原点位置から遊技球の発射勢が最大となる最大発射勢位置までとなっている。
【００６９】
操作歯車バネ１４は、コイルバネであり、一端が第１ギヤ体７に固定され、他端は第２ギヤ体８に固定されている。操作歯車バネ１４は、第２ギヤ体８に対して、第１ギヤ体７を発射勢減少方向（反時計回り方向）に付勢する、言い換えれば、第１ギヤ体７に対して、第２ギヤ体８を発射勢増大方向（時計回り）に付勢する。操作歯車バネ１４は、第２ギヤ体８の円筒状の本体の先端部の外周に配置され、第２ギヤ体８の本体によって前後方向に直交する方向の移動が規制され、２つのフランジ７２，８３により前後方向の移動が規制されている。
【００７０】
第２ギヤ体８の円筒状の本体の前端部に第１ギヤ体７の円筒状の本体の後端部を回転自在に挿入され、第１ギヤ体７と第２ギヤ体８とは、所定の基本相対回転位置に設定される。第１ギヤ体７と第２ギヤ体８とが基本相対回転位置に設定されると、上述のように第２ギヤ体８に対して、第１ギヤ体７を発射勢減少方向（反時計回り方向）に付勢する操作歯車バネ１４の付勢力によって操作側係合部７３の前方から視て左側の側縁、すなわち、発射勢減少方向側に向う回転方向の先側の側縁が、伝達側係合部８３の発射勢増大方向側に向かう回転方向の先側の側縁（前方から視て右側の側縁）に当接する。
【００７１】
両ギヤ体７，８が基本相対回転位置に設定された状態において、副発射レバー６が原点位置に維持されたまま操作されずに、主発射レバー４のみが原点位置から発射勢増大方向へ回転操作されると、副発射レバー６は自転せずに主回転軸心Ｃ１の周囲を公転し、副発射レバー６の副発射歯車部６１と第１ギヤ体７の操作歯車部７１との噛合によって、主発射レバー４の回転に連動して第１ギヤ体７が発射勢増大方向へ回転する。上述のように操作歯車バネ１４によって、第２ギヤ体８は、第１ギヤ体７に対して、発射勢増大方向（時計回り）に付勢されているので、第１ギヤ体７と一体的に発射勢増大方向へ回転し、第２ギヤ体８の伝達歯車部８１とボリュームギヤ体１１の調整歯車部との噛合によって、第２ギヤ体８の回転に連動してボリュームギヤ体１１が発射勢増大方向へ回転し、ボリューム１によって遊技球の発射勢が増大される。また、主発射レバー４が原点位置に維持されたまま回転操作されずに、副発射レバー６のみが原点位置から発射勢増大方向へ回転操作されると、副発射レバー６が副回転軸心Ｃ２を中心として自転し、副発射レバー６の副発射歯車部６１と第１ギヤ体７の操作歯車部７１との噛合によって、副発射レバー６の回転に連動して第１ギヤ体７が発射勢増大方向へ回転する。上述のように操作歯車バネ１４によって、第２ギヤ体８は、第１ギヤ体７に対して、発射勢増大方向（時計回り）に付勢されているので、第１ギヤ体７と一体的に発射勢増大方向へ回転し、第２ギヤ体８の伝達歯車部８１とボリュームギヤ体１１の調整歯車部との噛合によって、第２ギヤ体８の回転に連動してボリュームギヤ体１１が発射勢増大方向へ回転し、ボリューム１によって遊技球の発射勢が増大される。
【００７２】
基本相対回転位置から発射勢増大方向への第２ギヤ体８の回転が規制された状態で第１ギヤ体７に操作歯車バネ１４の付勢力よりも大きい発射勢増大方向への回転力が付与されると、第２ギヤ体８に対する第１ギヤ体７の発射勢増大方向への相対回転が許容され、操作側結合部７３と伝達側係合部８３とが離間し、第１ギヤ体７が第２ギヤ体８に対して、基準相対回転位置から発射勢増大方向へ相対回転（空転）する。
【００７３】
第２ギヤ体８に対して第１ギヤ体７が基準相対回転位置から発射勢増大方向へ相対回転した状態で第１ギヤ体７に発射勢減少方向への回転力が付与されると、第２ギヤ体８に対して第１ギヤ体７が発射勢減少方向へ相対回転して、両ギヤ体７，８が基本相対回転位置に復帰し、また、操作側結合部７３と伝達側係合部８３とが当接する。
【００７４】
このように、操作歯車バネ１４は、第１ギヤ体７と第２ギヤ体８とが基本相対回転位置に設定された状態で、両ギヤ体７，８と係合して両ギヤ体７，８間の相対回転を規制し、基本相対回転位置から発射勢増大方向への第２ギヤ体８の回転が規制された状態で第１ギヤ体７に発射勢増大方向への回転力が付与されると、第２ギヤ体８との係合が解除されて第２ギヤ体８に対する第１ギヤ体７の発射勢増大方向への相対回転を許容し、且つ第１ギヤ体７が第２ギヤ体８に対して基準相対回転位置から発射勢増大方向へ相対回転した状態で第１ギヤ体７に発射勢減少方向への回転力が付与されると、第２ギヤ体８に対する第１ギヤ体７の発射勢減少方向への相対回転を許容して両ギヤ体７，８を基本相対回転位置へ復帰させる。
【００７５】
また、副発射レバー６が原点位置に維持されたまま主発射レバー４のみが発射勢増大方向に最大に回転した場合、主発射レバー４が原点位置に維持されたまま副発射レバー６のみが発射勢増大方向に最大に回転した場合、及び主発射レバー４と副発射レバー６とがともに発射勢増大方向に最大に回転した場合の何れにおいても、第２ギヤ体８の被規制部８４が回転体規制部材２７に当接し、ボリューム１の回転軸部材１０は、所定の最大発射勢位置（例えば原点位置から１２５°）まで回転してそれ以上は回転しない。
【００７６】
また、両ギヤ体７，８が基本相対回転位置に設定された状態において、副発射レバー６が原点位置に維持されたまま操作されずに、主発射レバー４のみが原点位置から発射勢増大方向へ回転操作され、発射勢増大方向へ回転した主発射レバー４を発射勢減少方向へ回転させる場合など、第１ギヤ体７が発射勢減少方向へ回転するときは、第１ギヤ体７の操作側結合部７３と第２ギヤ体８の伝達側係合部８３とは操作側係合部７３の発射勢減少方向側に向う回転方向の先側の側縁と伝達側係合部８３の発射勢増大方向側に向かう回転方向の先側の側縁とで当接していることから、第１ギヤ体７と第２ギヤ体８とは、一体的に発射勢減少方向へ回転する。
【００７７】
［遊技球の発射操作］
遊技球の発射が停止する初期状態において、主発射レバー４、副発射レバー６、第１ギヤ体７、第２ギヤ体８及びボリュームギヤ体１１は、それぞれ発射勢減少方向の回転限度である原点位置に設定され、第１ギヤ体７と第２ギヤ体８とは、基本相対回転位置に設定される。
【００７８】
遊技を開始する遊技者は、副発射レバー６を操作せず、主発射レバー４を原点位置から発射勢増大方向へ回転操作する。主発射レバー４が回転すると、副発射操作体は自転せずに主回転軸心Ｃ１の周囲を公転する。副発射レバー６の副発射歯車部６１と第１ギヤ体７の操作歯車部７１とが噛合しているので、主発射レバー４の回転に連動して第１ギヤ体７が発射勢増大方向へ回転する。第１ギヤ体７と第２ギヤ体８とは基本相対回転位置に設定され、操作歯車バネ１４の付勢力によって、第２ギヤ体８は、第１ギヤ体７に対して、発射勢増大方向（時計回り）に付勢されている。このため、両ギヤ体７，８間の相対回転が規制されているので、第１ギヤ体７が回転すると、第２ギヤ体８が第１ギヤ体７と一体的に回転する。第２ギヤ体８の伝達歯車部８１とボリュームギヤ体１１の調整歯車部とが噛合しているので、第２ギヤ体８の回転に連動してボリュームギヤ体１１が発射勢増大方向へ回転し、ボリューム１によって遊技球の発射勢が変更（増大）される。すなわち、遊技者は、主発射レバー４の原点位置からの回転量を適宜調節することによって、所望の発射勢で遊技球を発射することができる。
【００７９】
例えば遊技領域の右側領域への遊技球の発射が要求される遊技（右打ち遊技）への移行のように、遊技の途中で遊技球の発射勢を増大させる必要が生じた場合、遊技者は、遊技者の手の親指で主発射レバー４の被操作部４２の発射勢減少方向側の側部を支持することで主発射レバー４の回転位置を維持したまま、人差し指で副発射レバー６の右打ち被操作部６０の指掛け部６０ａを発射勢増大方向に回転操作し、副発射レバー６を発射勢増大方向へ回転させる。副発射レバー６の副発射歯車部６１と第１ギヤ体７の操作歯車部７１とが噛合しているので、副発射レバー６の回転（自転）に連動して第１ギヤ体７が発射勢増大方向へ回転する。第１ギヤ体７と第２ギヤ体８とは基本相対回転位置に設定されており、上述のように、両ギヤ体７，８間の相対回転が規制されているので、第１ギヤ体７が回転すると、第２ギヤ体８が第１ギヤ体７と一体的に回転し、第２ギヤ体８の回転に連動してボリュームギヤ体１１が発射勢増大方向へ回転し、ボリューム１によって遊技球の発射勢が変更（増大）される。すなわち、遊技者は、主発射レバー４を所望の回転位置に維持したまま、副発射レバー６の右打ち被操作部６０の指掛け部６０ａを人差し指で回転操作することによって遊技球の発射勢を増大させることができる。また、発射勢の増大（右打ち遊技）を終了して、元の発射勢に戻す場合、遊技者は、副発射レバー６の右打ち被操作部６０の指掛け部６０ａを解放する（指掛け部６０ａから人差し指を離す）。副発射レバー６が解放されると、副バネ１３の付勢力によって、副発射レバー６が発射勢減少方向（時計回り）へ回転（自転）し、基本相対回転位置に設定されている第１ギヤ体７と第２ギヤ体８とが一体的に回転し、第２ギヤ体８の回転に連動してボリュームギヤ体１１が発射勢減少方向へ回転し、ボリューム１によって遊技球の発射勢が変更（減少）される。
【００８０】
第２ギヤ体８の発射勢増大方向への回転限度は、第２ギヤ体８の被規制部８４が回転体規制部材２７に当接することによって最大発射勢位置に規制される。すなわち、第２ギヤ体８は最大発射勢位置を超えてさらに発射勢増大方向へ回転することがなく、ボリューム１に過度の荷重が加わることがない。
【００８１】
第２ギヤ体８が最大発射勢位置に達した状態で、主発射レバー４又は副発射レバー６の少なくとも一方が発射勢増大方向の回転限度に達しておらず、遊技者が主発射レバー４又は副発射レバー６を発射勢増大方向へ操作し、第１ギヤ体７に操作歯車バネ１４の付勢力よりも大きい発射勢増大方向への回転力が付与されると、第２ギヤ体８に対する第１ギヤ体７の発射勢増大方向への相対回転が許容され、操作側結合部７３と伝達側係合部８３とが離間し、第１ギヤ体７が第２ギヤ体８に対して第１ギヤ体７が基準相対回転位置から発射勢増大方向へ相対回転（空転）する。従って、第１ギヤ体７や第２ギヤ体８に入力する発射勢増大方向への過度な荷重を、第１ギヤ体７と第２ギヤ体８との相対回転によって緩和することができる。
【００８２】
第２ギヤ体８に対して基準相対回転位置から発射勢増大方向へ相対回転した第１ギヤ体７を基準相対回転位置へ戻す場合、遊技者は、主発射レバー４又は副発射操レバーを発射勢減少方向へ操作して、第１ギヤ体７に発射勢減少方向への回転力を付与する。第１ギヤ体７に発射勢減少方向への回転力（操作歯車バネの付勢力を含む）が付与されると、第１ギヤ体７は発射勢減少方向へ回転し、両ギヤ体７，８が基本相対回転位置へ復帰する。
【００８３】
また、例えば、保留球数が上限に達した状態で長い演出が開始されて確定表示までに時間を要する場合、遊技球が発射されないように遊技球の発射を停止させるとき、遊技者は、主発射レバー４の回転位置を維持したまま、親指で発射停止ボタン１６を押下する。発射停止ボタン１６が押下されると、発射停止スイッチ１５は、発射許可状態から発射禁止状態に切り替わり、発射装置の発射制御部へ発射停止信号を出力する。発射停止ボタン１６が押下されている間、発射停止スイッチ１５は継続的に発射停止信号を出力し、発射停止信号を受信した発射装置は遊技球の発射を停止する。
【００８４】
このように、本実施形態によれば、主発射レバー４の回転操作によって遊技球を所望の発射勢で発射させている状態を基準として、副発射レバー６の右打ち被操作部６０の指掛け部６０ａの回転操作によって発射勢を増減させることができる。また、第１ギヤ体７に過剰な回転力が入力した際には、第２ギヤ体８の回転限度が被規制部８４と回転体規制部材２７とが当接することによって規制され、且つ第２ギヤ体８に対する第１ギヤ体７の相対回転相対回転が操作歯車バネ１４によって許容されるので、部品の破損や故障の発生を防止することができる。
【００８５】
また、主発射レバー４は、主回転軸心Ｃ１と交叉する方向へ突出し、主発射レバー４を把持して操作する遊技者の手の親指と人差し指との間に位置する被操作部４２を有し、発射停止ボタン１６は、原点位置の主発射レバー４の被操作部４２の発射勢減少方向側の側面よりも発射勢減少側に配置され、副発射レバー６の右打ち被操作部６０は、被操作部４２の発射勢増大方向側の側面から露出するので、遊技者に、遊技球の発射停止のために発射停止ボタン１６を親指で押下操作させ、遊技球の発射勢を増大させるためのに右打ち被操作部６０を人差し指で回転操作させることができる。このため、操作のために用いられる指を分けることによって、発射停止ボタン１６と右打ち被操作部６０との混同を防止し、遊技球の発射停止のための操作と発射勢を増大させるための操作との間の誤操作を防止することができる。
【００８６】
次に、本発明の第２の実施形態を図８から図１０に基づいて説明する。なお、第１の実施形態と共通する構成については同一の符号を付してその詳細な説明を省略する。
【００８７】
本実施形態では、発射操作装置は、主発射レバー４に回転自在に支持される副発射操作体１１０と、副発射歯車部１２１を有する副発射ギヤ体１２０と、を有する。副発射操作体１１０の発射勢増大方向は、前方から視て右回り（時計回り）であり、副発射ギヤ体１２０の発射勢増大方向は左回り（反時計回り）である。
【００８８】
また、本実施形態における後方支持体４７は、後述する副発射操作体１１０の後方支持軸１１４が挿通する後方支持軸受孔４７ｂが設けられている。
【００８９】
副発射操作体１１０は、略矩形状体であり、主発射レバー４の被操作部４２と後方支持体４７との間に配置されている。副発射操作体１１０は、中間部１１１と、右打ち被操作部１１２と、前方支持軸１１３と、後方支持軸１１４と、伝達軸１１５と、を有する。
【００９０】
中間部１１１は、略矩形状体であり、中間部１１１の前面の上縁、下縁及び発射勢増大方向の外縁からそれぞれ後方へ折曲して延びる上面部、下面部及び側面部を有する。中間部１１１の前面の発射勢減少方向側には前方へ突出する前方支持軸１１３が形成され、また、中間部１１１の後面には、副発射操作体１１０支持軸が形成された位置に対応する位置から後方へ突出する後方支持軸１１４が形成されている。前方支持軸１１３が主発射レバー４の前方支持軸１１３受孔（図示省略）に挿入され、また、後方支持軸１１４が後方支持体４７の後方支持軸１１４受孔に挿入されると、副発射操作体１１０は、主発射レバー４に相対回転自在に支持される。副発射操作体１１０の回転中心（操作回転軸心Ｃ４）は、主発射レバー４の回転中心（主回転軸心Ｃ１）と略平行に設定され、操作回転軸心Ｃ４は主回転軸心Ｃ１の外側に配置されている。また、中間部１１１の前面の発射勢減少方向側の下縁付近には、前方へ突出する伝達軸１１５が形成されている。
【００９１】
右打ち被操作部１１２は、副発射操作体１１０が主発射レバー４に相対回転自在に支持されると、原点位置で、主発射レバー４の被操作部４２の発射勢増大方向側の側面に形成された切欠部から突出する。このような配置によって、遊技者は、右手の親指を被操作部４２の発射勢減少方向側に置き、被操作部４２の発射勢減少方向側の側面を支持して、主発射レバー４の回転位置を維持させたまま、その人差し指で右打ち被操作部１１２を容易に押す（操作回転軸心Ｃ４を中心に時計回りに回転させる）ことができる。右打ち被操作部１１２は、例えば、弾球遊技機の遊技状態が遊技領域の右側領域への遊技球の発射が要求される遊技（右打ち遊技）へ移行した場合に遊技者によって押下操作（操作回転軸心Ｃ４を中心に時計回りに回転操作）される。右打ち被操作部１１２が押下操作されると副発射操作体１１０は操作回転軸心Ｃ４を中心に発射勢増大方向（時計回り）へ回転し、この回転に伴い伝達軸１１５も同様に発射勢増大方向へ回転する。
【００９２】
副発射ギヤ体１２０は、主発射レバー４と副発射操作体１１０との間に配置されている。副発射ギヤ体１２０には、副発射歯車部１２１と副回転軸受孔１２２と伝達軸受孔形成部１２３が設けられている。副回転軸受孔１２２に、主発射レバー４の底板に形成された円筒状の副回転軸が挿入され、副回転軸が有する中央孔にボルトが螺合することによって、副発射ギヤ体１２０が主発射レバー４に回動自在に支持される。
【００９３】
伝達軸受孔形成部１２３は、副発射ギヤ体１２０の上側の発射勢増大方向の端部に設けられている。伝達軸受孔形成部１２３は、中心に伝達軸受孔１２４を有している。伝達軸受孔１２４には、後方から副発射操作体１１０の伝達軸１１５が挿入される。
【００９４】
副発射ギヤ体１２０の副回転軸受孔１２２の周囲は、前方に突出する円筒状に形成されており、この円筒部分の周囲にねじりコイルバネである副バネ１３が配置される。副バネ１３は、その一端側が主発射レバー４に係止され、他端側が副発射ギヤ体１２０に係止されることによって、副発射ギヤ体１２０を発射勢減少方向（時計回り）に付勢する。
【００９５】
副発射ギヤ体１２０の回転中心（副回転軸心Ｃ２）と主発射レバー４の回転中心（主回転軸心Ｃ１）とは略平行に設定され、副発射ギヤ体１２０は主回転軸心Ｃ１の外側に配置されている。これにより、副発射ギヤ体１２０は、主発射レバー４の回転に伴って主回転軸心Ｃ１の周囲を公転する。また、遊技者が副発射操作体１１０の右打ち被操作部１１２を押下操作（発射勢増大方向へ回転操作）することによって、副発射操作体１１０が回転すると、副発射操作体１１０の中間部１１１に形成された伝達軸１１５が発射勢増大方向に回転する。伝達軸１１５が発射勢増大方向へ回転すると、伝達軸１１５が挿通する伝達軸受孔１２４を有する副発射ギヤ体１２０の伝達軸受孔形成部１２３に回転力が伝達され、副発射ギヤ体１２０は、副回転軸心Ｃ２を中心として発射勢増大方向（反時計回り）へ自転する。このように、伝達軸１１５、伝達軸受孔形成部１２３及び伝達軸受孔１２４は、副発射操作体１１０の回転を副発射ギヤ体１２０に回転力として伝達する副発射操作伝達機構を構成する。副発射ギヤ体１２０は、遊技者の右打ち被操作部１１２の押下操作によって、原点位置から最大発射勢位置まで回転する。遊技者が副発射操作体１１０の押下を解除すると、副バネ１３の付勢力によって副発射ギヤ体１２０が原点位置側に戻る。すなわち、副発射ギヤ体１２０が副回転軸心Ｃ２を中心として発射勢減少方向（時計回り）に回転する。副発射ギヤ体１２０が発射勢減少方向に回転すると、副発射操作ギア体の副発射歯車部１２１の基部が１つのボスに当接して、発射勢減少方向への副発射操作体１１０の回転が規制される。すなわち、この１つのボスが、副発射ギヤ体１２０の原点位置側のストッパとして機能する。
【００９６】
副発射ギヤ体１２０の最大発射勢位置側（発射勢増大方向）には、特にストッパは設けられておらず、遊技者が通常の押下操作によって右打ち被操作部１１２を指で円筒部に押し込むことによって回転した位置が副発射ギヤ体１２０の最大発射勢位置となる。副発射ギヤ体１２０が最大発射位置にあるのにも関わらず、副発射操作体１１０の右打ち被操作部１１２を無理に円筒部の内部側に押し込むと、副発射操作体１１０の伝達軸受孔形成部１２３が主発射レバー４の被操作部４２の内側に当接し、右打ち被操作部１１２をそれ以上押し込めることができず、この右打ち被操作部１１２の内側との当接位置が副発射ギヤ体１２０の発射勢増大方向の回転限度となる。なお、被操作部４２の内側に当接する前に副発射操作体１１０の発射勢増大方向への回転限度を規制するストッパを設けてもよい。
【００９７】
また、副発射ギヤ体１２０が発射勢減少方向に回転すると、伝達軸受孔形成部１２３の伝達軸受孔１２４に挿通する伝達軸１１５に回転力が伝達され、副発射操作体１１０が発射勢減少方向（反時計回り）に回転し、原点位置に戻る。
【００９８】
副発射歯車部１２１は、副回転軸心Ｃ２を中心とした円弧状であり、副発射ギヤ体１２０の回転可能範囲に対応した略扇状のセクタ歯車の歯部として形成されている。副発射歯車部１２１は第１ギヤ体の操作歯車部と噛み合う。
【００９９】
［遊技球の発射操作］
遊技球の発射が停止する初期状態において、主発射レバー４、副発射操作体１１０、副発射ギヤ体１２０、第１ギヤ体７、第２ギヤ体８及びボリュームギヤ体１１は、それぞれ発射勢減少方向の回転限度である原点位置に設定され、第１ギヤ体７と第２ギヤ体８とは、基本相対回転位置に設定される。
【０１００】
遊技を開始する遊技者は、副発射操作体１１０を操作せず、主発射レバー４を原点位置から発射勢増大方向へ回転操作する。主発射レバー４が回転すると、副発射ギヤ体１２０は自転せずに主回転軸心Ｃ１の周囲を公転する。副発射ギヤ体１２０の副発射歯車部１２１と第１ギヤ体７の操作歯車部７１とが噛合しているので、主発射レバー４の回転に連動して第１ギヤ体７が発射勢増大方向へ回転する。第１ギヤ体７と第２ギヤ体８とは基本相対回転位置に設定され、操作歯車バネ１４の付勢力によって、第２ギヤ体８は、第１ギヤ体７に対して、発射勢増大方向（時計回り）に付勢されている。このため、両ギヤ体７，８間の相対回転が規制されているので、第１ギヤ体７が回転すると、第２ギヤ体８が第１ギヤ体７と一体的に回転する。第２ギヤ体８の伝達歯車部８１とボリュームギヤ体１１の調整歯車部とが噛合しているので、第２ギヤ体８の回転に連動してボリュームギヤ体１１が発射勢増大方向へ回転し、ボリューム１によって遊技球の発射勢が変更（増大）される。すなわち、遊技者は、主発射レバー４の原点位置からの回転量を適宜調節することによって、所望の発射勢で遊技球を発射することができる。
【０１０１】
例えば遊技領域の右側領域への遊技球の発射が要求される遊技（右打ち遊技）への移行のように、遊技の途中で遊技球の発射勢を増大させる必要が生じた場合、遊技者は、遊技者の手の親指で主発射レバー４の被操作部４２の発射勢減少方向側の側部を支持し、主発射レバー４の回転位置を維持したまま、人差し指で副発射操作体１１０の右打ち被操作部１１２を押下操作（発射勢増大方向に回転操作）し、副発射操作体１１０を操作回転軸心Ｃ４を中心に発射勢増大方向（時計回り）へ回転させる。副発射操作体１１０が発射勢増大方向に回転すると、副発射操作体１１０の中間部１１１に形成された伝達軸１１５が発射勢増大方向に回転し、伝達軸１１５が挿通する伝達軸受孔１２４を有する副発射ギヤ体１２０の伝達軸受孔形成部１２３に回転力が伝達される。回転力が伝達されると、副発射ギヤ体１２０は、副回転軸心Ｃ２を中心として発射勢増大方向（反時計回り）へ自転する。副発射ギヤ体１２０の副発射歯車部１２１と第１ギヤ体７の操作歯車部７１とが噛合しているので、副発射ギヤ体１２０の回転（自転）に連動して第１ギヤ体７が発射勢増大方向へ回転する。第１ギヤ体７と第２ギヤ体８とは基本相対回転位置に設定されており、上述のように、両ギヤ体７，８間の相対回転が規制されているので、第１ギヤ体７が回転すると、第２ギヤ体８が第１ギヤ体７と一体的に回転し、第２ギヤ体８の回転に連動してボリュームギヤ体１１が発射勢増大方向へ回転し、ボリューム１によって遊技球の発射勢が変更（増大）される。すなわち、遊技者は、主発射レバー４を所望の回転位置に維持したまま、副発射操作体１１０の右打ち被操作部１１２を人差し指で押下操作することによって遊技球の発射勢を増大させることができる。また、発射勢の増大（右打ち遊技）を終了して、元の発射勢に戻す場合、遊技者は、副発射操作体１１０の右打ち被操作部１１２の押下操作を解除する（右打ち被操作部１１２から人差し指を離す）。押下操作が解除されると、副バネ１３の付勢力によって、副発射ギヤ体１２０が発射勢減少方向（時計回り）へ回転（自転）し、基本相対回転位置に設定されている第１ギヤ体７と第２ギヤ体８とが一体的に回転し、第２ギヤ体８の回転に連動してボリュームギヤ体１１が発射勢減少方向へ回転し、ボリューム１によって遊技球の発射勢が変更（減少）される。
【０１０２】
第２ギヤ体８の発射勢増大方向への回転限度は、第２ギヤ体８の被規制部８４が回転体規制部材２７に当接することによって最大発射勢位置に規制される。すなわち、第２ギヤ体８は最大発射勢位置を超えてさらに発射勢増大方向へ回転することがなく、ボリューム１に過度の荷重が加わることがない。
【０１０３】
第２ギヤ体８が最大発射勢位置に達した状態で、主発射レバー４又は副発射レバー６の少なくとも一方が発射勢増大方向の回転限度に達しておらず、遊技者が主発射レバー４又は副発射レバー６を発射勢増大方向へ操作し、第１ギヤ体７に操作歯車バネ１４の付勢力よりも大きい発射勢増大方向への回転力が付与されると、第２ギヤ体８に対する第１ギヤ体７の発射勢増大方向への相対回転が許容され、操作側結合部７３と伝達側係合部８３とが離間し、第１ギヤ体７が第２ギヤ体８に対して第１ギヤ体７が基準相対回転位置から発射勢増大方向へ相対回転（空転）する。従って、第１ギヤ体７や第２ギヤ体８に入力する発射勢増大方向への過度な荷重を、第１ギヤ体７と第２ギヤ体８との相対回転によって緩和することができる。
【０１０４】
第２ギヤ体８に対して基準相対回転位置から発射勢増大方向へ相対回転した第１ギヤ体７を基準相対回転位置へ戻す場合、遊技者は、主発射レバー４を発射勢減少方向へ操作し、又は、副発射操作体１１０の右打ち被操作部１１２への押下操作を解除して、第１ギヤ体７に発射勢減少方向への回転力（操作歯車バネ１４の付勢力を含む）を付与する。第１ギヤ体７に発射勢減少方向への回転力が付与されると、第１ギヤ体７は発射勢減少方向へ回転し、両ギヤ体７，８が基本相対回転位置へ復帰する。
【０１０５】
このように、本実施形態によれば、主発射レバー４の回転操作によって遊技球を所望の発射勢で発射させている状態を基準として、副発射操作体１１０の右打ち被操作部１１２の押下操作によって発射勢を増減させることができる。また、第１ギヤ体７に過剰な回転力が入力した際には、第２ギヤ体８の回転限度が被規制部８４と回転体規制部材２７とが当接することによって規制され、且つ第２ギヤ体８に対する第１ギヤ体７の相対回転相対回転が操作歯車バネ１４によって許容されるので、部品の破損や故障の発生を防止することができる。
【０１０６】
また主発射レバー４は、主回転軸心Ｃ１と交叉する方向へ突出し、主発射レバー４を把持して操作する遊技者の手の親指と人差し指との間に位置する被操作部４２を有し、副発射操作体１１０は、主発射レバー４の被操作部４２に回転自在に支持される中間部１１１と、中間部１１１から主発射レバーの発射勢増大方向へ延びる右打ち被操作部１１２とを有し、右打ち被操作部１１２は、原点位置で被操作部４２の発射勢増大方向側の側面から突出し、右打ち被操作部１１２が原点位置から押下操作されると、伝達軸１１５を介して副発射ギヤ体１２０が回転し、副発射ギヤ体１２０の回転に連動して第１ギヤ体が発射勢増大方向へ回転するので、遊技者に遊技球の発射勢を増大させるために操作される右打ち被操作部１１２を人差し指で押下操作させることができる。また、右打ち被操作部１１２の押下操作方向（操作回転軸心Ｃ４を中心に時計回り）は、主発射レバー４の発射勢増大方向と略共通するので、遊技者は、容易に右打ち被操作部１１２の押下操作を行うことができる。
【０１０７】
また、第２の実施形態において、図１１に示すように、副発射操作体１１０は、伝達軸１１５に代えて、伝動歯車部１１６を有し、副発射ギヤ体１２０は、伝達軸受孔形成部１２３に代えて、被伝動歯車部１２５を有してもよい。
【０１０８】
伝動歯車部１１６は、副発射操作体１１０の左側の端部に形成される。また、伝動歯車部１１６は、操作回転軸心Ｃ４を中心とした円弧状であり、副発射操作体１１０の回転範囲に対応するセクタ歯車の歯部として形成される。
【０１０９】
被伝動歯車部１２５は、副発射ギヤ体１２０の上右側の端部に形成される。また、被伝動歯車部１２５は、副回転軸心Ｃ２を中心とした円弧状であり、副操作ギヤ体１２０の回転範囲に対応するセクタ歯車の歯部として形成される。被伝動歯車部１２５は、副発射操作体１１０の伝動歯車部１１６に噛み合う。
【０１１０】
遊技者が副発射操作体１１０の右打ち被操作部１１２を押下操作すると、副発射操作体１１０と伝動歯車部１１６が発射勢増大方向（時計回り）に回転する。伝動歯車部１１６が発射勢増大方向（時計回り）に回転すると、伝動歯車部１１６が被伝動歯車部１２５と噛み合っているので、副発射操作体１１０の回転が回転力として副発射ギヤ体１２０に伝達され、副発射ギヤ体１２０は、副回転軸心Ｃ２を中心として発射勢増大方向（反時計回り）へ自転する。このように、伝動歯車部１１６と被伝動歯車部１２５とは、副発射操作体１１０の回転を副発射ギヤ体１２０に回転力として伝達する副発射操作伝達機構を構成する。副発射ギヤ体１２０は、遊技者の右打ち副操作部１１２の押下操作によって、原点位置から最大発射勢位置まで回転する。遊技者が右打ち被操作部１１２の押下を解除すると、副バネ１３の付勢力によって副発射ギア体１２０が原点位置側に戻る。すなわち、副発射ギア体１２０が発射勢減少方向（時計回り）に回転する。副発射ギア体１２０が発射勢減少方向に回転すると、被伝動歯車部１２５と伝動歯車部１１６とは噛み合っているので、副発射ギヤ体１２０の回転が副発射操作体１１０に回転力として伝達され、副発射操作体１１０が操作回転軸心Ｃ４を中心に発射勢減少方向（反時計回り）に回転し、原点位置に戻る。
【０１１１】
なお、第１の実施形態及び第２の実施形態における発射操作装置は、図１２から１４に示すように、第１ギヤ体７と第２ギヤ体８に代えて、第１筒状ギヤ体１３０と第２筒状ギヤ体１４０とを有してもよい。この場合、ベース板部２０には、筒状軸受部２４に代えて、収容部２２の略中央で前方へ延びる中央回転軸２８が一体的に設けられている。中央回転軸２８とカバー３のカバー側軸受部３１とは、主発射レバー４の主回転軸４４を、主回転軸心（中央回転軸２８の軸心）Ｃ１を中心として回転自在に支持する。
【０１１２】
［第１筒状ギヤ体、第２筒状ギヤ体及び相対回転制御機構］
図１５〜図２１に示すように、第１筒状ギヤ体１３０は、前側の細径の内径部（前側内径部）１３１と後側の太径の内径部（後側内径部）１３２とを有する略円筒形状に形成されている。第２筒状ギヤ体１４０は、第１筒状ギヤ体１３０とほぼ同じ外径を有し、且つ第１筒状ギヤ体１３０の前側内径部１３１とほぼ同径の内径部１４１を有する略円筒形状に形成されている。第１筒状ギヤ体１３０の後方に第２筒状ギヤ体１４０が並んで配置された状態で、第１筒状ギヤ体１３０の前側内径部１３１と第２筒状ギヤ体１４０の内径部１４１とをベース体２の中央回転軸２８が挿通する。これにより、両ギヤ体１３０，１４０は、主回転軸心Ｃ１を中心として発射勢増大方向及び発射勢減少方向へ回転自在にベース体２及び主発射レバー４に支持される。両ギヤ体１３０，１４０の前後方向の移動は、ベース体２のベース板部２０の前面と主操作レバー４の主回転軸４４の後面とによって規制される。なお、両ギヤ体１３０，１４０の一方又は双方を、ベース体２のみによって支持してもよく、主発射レバー４のみによって支持してもよい。
【０１１３】
第１筒状ギヤ体１３０の外周には、主回転軸心Ｃ１を中心とした円弧状の操作歯車部１３３が設けられ、操作歯車部１３３は、副操作レバー９の副発射歯車部６１と噛合する。第２筒状ギヤ体１４０の外周には、主回転軸心Ｃ１を中心とした円弧状の伝達歯車部１４２が設けられ、伝達歯車部１４２は、ボリュームギヤ体１１のボリューム歯車部１１ａと噛合する。第１筒状ギヤ体１３０の前部には、第１筒状ギヤ体１３０の前端から後方へ延びる４箇所の切り欠き状のスライド溝１３４が形成されている。
【０１１４】
第２筒状ギヤ体１４０の外周には、ベース体２のベース板部２０の回転体規制部材（最大発射勢設定手段）２７に当接するギヤ側ストッパ（最大発射勢設定手段）１４３が突設されている。ギヤ側ストッパ１４３が回転体規制部材２７に当接することによって、第２筒状ギヤ体１４０の発射勢増大方向への回転可能限度が最大発射勢位置に規制される。すなわち、回転体規制部材２７とギヤ側ストッパ１４３とは、第２筒状ギヤ体１４０の発射勢増大方向への回転可能限度を最大発射勢位置に規制する最大発射勢設定手段として機能する。
【０１１５】
第１筒状ギヤ体１３０と第２筒状ギヤ体１４０の間には相対回転制御機構１５０が設けられている。相対回転制御機構１５０は、伝達ガイド（他方の部材）１５１と、コイルバネ（伝達ガイド付勢手段）１５２と、係止突起１５１ｃと、係合凹部１４４と、傾斜ガイド面１４５とを有し、両ギヤ体１３０，１４０間の相対回転を規制する状態と許容する状態とに切り替わる。
【０１１６】
コイルバネ１５２は、その内径部分を中央回転軸２８が挿通した状態で、第１筒状ギヤ体１３０の後側内径部１３２に収容される。
【０１１７】
伝達ガイド１５１は、ガイド板部１５１ａと４箇所のスライド係合部１５１ｂと、２箇所の係止突起１５１ｃとを一体的に有する。ガイド板部１５１ａは、第１筒状ギヤ体１３０の後側内径部１３２よりも僅かに小さい外径を有し、且つ第１筒状ギヤ体１３０の前側内径部１３１とほぼ同径の内径部１５１ｄを有する薄肉の円筒状に形成されている。
【０１１８】
４箇所のスライド係合部１５１ｂは、第１筒状ギヤ体１３０の４箇所のスライド溝１３４に対応して配置され、スライド溝１３４よりも僅かに小さい周方向の幅を有し、ガイド板部１５１ａの外周から径方向の外側へ突出する。第１筒状ギヤ体１３０の前側内径部１３１に中央回転軸２８を挿通した状態で、ガイド板部１５１ａの内径部１５１ｄに中央回転軸２８を挿通し、第１筒状ギヤ体１３０のスライド溝１３４にスライド係合部１５１ｂを挿入すると、スライド係合部１５１ｂがスライド溝１３４と係合し、ガイド板部１５１ａが第１筒状ギヤ体１３０の後側内径部１３２に収容され支持される。スライド係合部１５１ｂがスライド溝１３４との係合は、第１筒状ギヤ体１３０と伝達ガイド１５１との相対回転を規制した状態で、伝達ガイド１５１の前後方向（主回転軸心Ｃ１に沿った方向）のスライド移動自在を許容する。なお、両ギヤ体１３０，１４０の前後方向の位置は、伝達ガイド１５１のスライド移動によって変更されず、所定位置に維持される。
【０１１９】
２箇所の係止突起１５１ｃは、内径部１５１ｄを挟んで対峙するように配置され、伝達ガイド１５１の前面から前方へ突出する。係止突起１５１ｃの前端部は、後方に向かって先細りする円錐状又は半球状に形成されている。
【０１２０】
伝達ガイド１５１は、コイルバネ１５２が第１筒状ギヤ体１３０の後側内径部１３２に収容された状態で後側内径部１３２に後方から挿入され、第２筒状ギヤ体１４０の内径部１４１には、コイルバネ１５２及び伝達ガイド１５１が後側内径部１３２に挿入された状態で、中央回転軸２８が挿通される。コイルバネ１５２の後端は伝達ガイド１５１のガイド板部１５１ａの前面に当接し、コイルバネ１５２は伝達ガイド１５１を後方（第２筒状ギヤ体１４０側）へ付勢する。
【０１２１】
第２筒状ギヤ体１４０の前面には、係合凹部１４４と傾斜ガイド面１４５とが、伝達ガイド１５１の係止突起１５１ｃに対応してそれぞれ２箇所ずつ形成されている。伝達ガイド１５１の各係止突起１５１ｃは、両ギヤ体１３０，１４０が所定の基本相対回転位置に設定された状態で、コイルバネ１５２の付勢力によって、それぞれ対応する係合凹部１４４と係合する（図２０参照）。係止突起１５１ｃと係合凹部１４４との係合は、両ギヤ体１３０，１４０の相対回転を規制する。
【０１２２】
両ギヤ体１３０，１４０が基本相対回転位置に設定された状態において、副発射レバー６が原点位置に維持されたまま押下操作されずに、主発射レバー４のみが原点位置から発射勢増大方向へ回転操作されると、副発射レバー６は自転せずに主回転軸心Ｃ１の周囲を公転し、副発射レバー６の副発射歯車部６１と第１筒状ギヤ体１３０の操作歯車部１３３との噛合によって、主発射レバー４の回転に連動して第１筒状ギヤ体１３０及び第２筒状ギヤ体１４０が発射勢増大方向へ回転し、第２筒状ギヤ体１４０の伝達歯車部１４２とボリュームギヤ体１９のボリューム歯車部１１ａとの噛合によって、第２筒状ギヤ体１４０の回転に連動してボリュームギヤ体１９が発射勢増大方向へ回転し、ボリューム１によって遊技球の発射勢が増大される。また、主発射レバー４が原点位置に維持されたまま回転操作されずに、副発射レバー６のみが原点位置から発射勢増大方向へ回転操作（押下操作）されると、副発射レバー６が副回転軸心Ｃ２を中心として自転し、副発射レバー６の副発射歯車部６１と第１筒状ギヤ体１３０の操作歯車部１３３との噛合によって、副発射レバー６の回転に連動して第１筒状ギヤ体１３０及び第２筒状ギヤ体１４０が発射勢増大方向へ回転し、第２筒状ギヤ体１４０の伝達歯車部１４２とボリュームギヤ体１９のボリューム歯車部１１ａとの噛合によって、第２筒状ギヤ体１４０の回転に連動してボリュームギヤ体１９が発射勢増大方向へ回転し、ボリューム１によって遊技球の発射勢が増大される。
【０１２３】
傾斜ガイド面１４５は、主回転軸心Ｃ１を中心とした円弧状で且つ前方（伝達ガイド１５１側）に向かって傾斜するように、係合凹部１４４から発射勢増大方向へ延びる。傾斜ガイド面１４５のうち係合凹部１４４との隣接部分には、前方及び後方へ殆ど傾斜しない平坦部１４５ａと、平坦部１４５ａと係合凹部１４４との間で係合凹部１４４から急峻に傾斜して係合凹部１４４との段差を緩和する立ち上がり部１４５ｂとが設けられている。
【０１２４】
基本相対回転位置から発射勢増大方向への第２筒状ギヤ体１４０の回転が規制された状態で第１筒状ギヤ体１３０に発射勢増大方向への回転力が付与されると、傾斜ガイド面１４５の立ち上がり部１４５ｂと係止突起１５１ｃの前端部の形状とによって係止突起１５１ｃが前方に案内され、コイルバネ１５２の付勢力に抗して伝達ガイド１５１が前方へ移動して係止突起１５１ｃが係合凹部１４４から傾斜ガイド面１４５に乗り上がり、係止突起１５１ｃと係合凹部１４４との係合が解除され、第２筒状ギヤ体１４０に対する第１筒状ギヤ体１３０の発射勢増大方向への相対回転が許容され、第１筒状ギヤ体１３０が空転する（図２１参照）。平坦部１４５ａは、立ち上がり部１４５ｂに乗り上がった係止突起１５１ｃの挙動を安定させる。
【０１２５】
第２筒状ギヤ体１４０に対して第１筒状ギヤ体１３０が基準相対回転位置から発射勢増大方向へ相対回転した状態で第１筒状ギヤ体１３０に発射勢減少方向への回転力が付与されると、傾斜ガイド面１４５上の係止突起１５１ｃは、コイルバネ１５２の付勢力と傾斜ガイド面１４５の傾斜とによって係合凹部１４４へ向かってスライド移動し、第２筒状ギヤ体１４０に対して第１筒状ギヤ体１３０が発射勢減少方向へ相対回転して、両ギヤ体１３０，１４０が基本相対回転位置に復帰する。
【０１２６】
このように、相対回転制御機構１５０は、第１筒状ギヤ体１３０と第２筒状ギヤ体１４０とが基本相対回転位置に設定された状態で、両ギヤ体１３０，１４０と係合して両ギヤ体１３０，１４０間の相対回転を規制し、基本相対回転位置から発射勢増大方向への第２筒状ギヤ体１４０の回転が規制された状態で第１筒状ギヤ体１３０に発射勢増大方向への回転力が付与されると、第２筒状ギヤ体１４０との係合が解除されて第２筒状ギヤ体１４０に対する第１筒状ギヤ体１３０の発射勢増大方向への相対回転を許容し、且つ第１筒状ギヤ体１３０が第２筒状ギヤ体１４０に対して基準相対回転位置から発射勢増大方向へ相対回転した状態で第１筒状ギヤ体１３０に発射勢減少方向への回転力が付与されると、第２筒状ギヤ体１４０に対する第１筒状ギヤ体１３０の発射勢減少方向への相対回転を許容して両ギヤ体１３０，１４０を基本相対回転位置へ復帰させる。
【０１２７】
また、副発射レバー６が原点位置に維持されたまま主発射レバー４のみが発射勢増大方向に最大に回転した場合、主発射レバー４が原点位置に維持されたまま副発射レバー６のみが発射勢増大方向に最大に回転した場合、及び主発射レバー４と副発射レバー６とがともに発射勢増大方向に最大に回転した場合の何れにおいても、ギヤ側ストッパ１４３が回転体規制部材２７に当接し、ボリューム１の回転軸部材１０は、所定の最大発射勢位置（例えば原点位置から１２５°）まで回転してそれ以上は回転しない。
【０１２８】
以上、本発明者によってなされた発明を適用した実施形態について説明したが、この実施形態による本発明の開示の一部をなす論述及び図面により本発明は限定されることはない。例えば、ベース体２のベース板部２０には、回転体規制部材２７に加えて、ベース側下限ストッパ２９（図１５及び図１６に二点鎖線で示す）が前方に突設されている。ギヤ側ストッパ１４３がベース側下限ストッパ２９に当接することによって、第２筒状ギヤ体１４０の発射勢減少方向への回転可能限度が原点位置に規制される。すなわち、ベース側下限ストッパ２９とギヤ側ストッパ１４３とは、第２筒状ギヤ体１４０の発射勢減少方向への回転可能限度を原点位置に規制する最小発射勢設定手段として機能する。
【０１２９】
このように、第２筒状ギヤ体１４０の発射勢減少方向への回転限度を原点位置に規制するベース側下限ストッパ２９を設けているので、第２筒状ギヤ体１４０に対して基準相対回転位置から発射勢増大方向へ相対回転した第１筒状ギヤ体１３０を基準相対回転位置へ戻す際に、遊技者が主発射レバー４又は副発射レバー６を発射勢減少方向へ操作しただけでは両ギヤ体１３０，１４０が基準相対回転位置に復帰しない場合であっても、第２筒状ギヤ体１４０を原点位置まで戻した後に第１筒状ギヤ体１３０に発射勢減少方向への回転力を付与することによって、第１筒状ギヤ体１３０が第２筒状ギヤ体１４０に対して発射勢減少方向へ相対回転する。従って、両ギヤ体１３０，１４０を確実に基準相対回転位置へ復帰させることができる。
【０１３０】
なお、ベース側下限ストッパ２９を設けた場合、傾斜ガイド面１４５に代えて、前方及び後方へ殆ど傾斜しない平坦なガイド面を設けてもよい。
【０１３１】
また、上記実施形態では、伝達ガイド１５１を第１筒状ギヤ体１３０にスライド係合し、伝達ガイド１５１を第２筒状ギヤ体１４０側に付勢し、伝達ガイド１５１に係止突起１５１ｃを設け、第２筒状ギヤ体１４０に係合凹部１４４を設けたが、伝達ガイドを第１筒状ギヤ体にスライド係合し、伝達ガイドを第２筒状ギヤ体に付勢し、伝達ガイドに係合凹部を設け、第２筒状ギヤ体に係止突起を設けてもよく、伝達ガイドを第２筒状ギヤ体にスライド係合し、伝達ガイドを第１筒状ギヤ体側に付勢し、伝達ガイドに係止突起を設け、第２筒状ギヤ体に係合凹部を設けてもよく、また、伝達ガイドを第２筒状ギヤ体にスライド係合し、伝達ガイドを第１筒状ギヤ体側に付勢し、伝達ガイドに係合凹部を設け、第２筒状ギヤ体に係止突起を設けてもよい。すなわち、この実施形態に基づいて当業者等によりなされる他の実施形態、実施例及び運用技術等は全て本発明の範疇に含まれることは勿論であることを付け加えておく。
【符号の説明】
【０１３２】
１：ボリューム（発射勢変更手段）
１０：回転軸部材
１１：ボリュームギヤ体（調整ギヤ体）
１１ａ：ボリューム歯車部（調整歯車部）
１３：副バネ
１４：操作歯車バネ（相対回転制御機構）
１５：発射停止スイッチ（発射停止手段）
１６：発射停止ボタン（ストップボタン）
２：ベース体
２７：回転体規制部材（最大発射勢設定手段）
３：カバー
４：主発射レバー
４２：被操作部
４４：主回転軸
４５：副回転軸
４６：軸受筒部
４８：操作歯車規制部
５：主バネ
６：副発射レバー
６０：右打ち被操作部
６０ａ：指掛け部
６１：副発射歯車部
６２：副回転軸受孔形成部
６３：副回転軸受孔
７：第１ギヤ体
７１：操作歯車部
７２：フランジ
７３：操作側係合部
７４：切欠部
８：第２ギヤ体
８１：伝達歯車部
８２：フランジ
８３：伝達側係合部
８４：被規制部（最大発射勢設定手段）
１１０：副発射操作体
１１１：中間部
１１２：右打ち被操作部
１１３：前方支持軸
１１４：後方支持軸
１１５：伝達軸
１２０：副発射ギヤ体
１２１：副発射歯車部
１２２：副回転軸受孔
１２３：伝達軸受孔形成部
１２４：伝達軸受孔
Ｃ１：主回転軸心
Ｃ２：副回転軸心
Ｃ３：調整回転軸心
Ｃ４：操作回転軸心
【図１】
0005678337.tif 000002
【図２】
0005678337.tif 000003
【図３】
0005678337.tif 000004
【図４】
0005678337.tif 000005
【図５】
0005678337.tif 000006
【図６】
0005678337.tif 000007
【図７】
0005678337.tif 000008
【図８】
0005678337.tif 000009
【図９】
0005678337.tif 000010
【図１０】
0005678337.tif 000011
【図１１】
0005678337.tif 000012
【図１２】
0005678337.tif 000013
【図１３】
0005678337.tif 000014
【図１４】
0005678337.tif 000015
【図１５】
0005678337.tif 000016
【図１６】
0005678337.tif 000017
【図１７】
0005678337.tif 000018
【図１８】
0005678337.tif 000019
【図１９】
0005678337.tif 000020
【図２０】
0005678337.tif 000021
【図２１】
0005678337.tif 000022